(57)【要約】【課題】頭部に被って、その上にヘルメットを被り、ヘルメットの着用時に頭部から発汗した汗を吸収し、汗が顔などを伝わり落ちることを防止し、しかもヘルメットから露出する頭部や襟首の部分も衝撃や直射日光等から保護できるようにする。【解決手段】ヘルメット１の着用時にヘルメット１内の頭部に被るヘルメット用汗取りキャップであって、タオル生地で形成し、周縁部３は生地を重ねて厚く形成する。この周縁部３に、ヘルメット１から露出する後頭部と側頭部を覆うための垂れ布５を、一方の耳６に対応する位置から他方の耳６に対応する位置にわたって縫い付ける。【選択図】  図１
0003105555.tif 000002
【実用新案登録請求の範囲】
【請求項１】
ヘルメットの着用時にヘルメット内の頭部に被るヘルメット用汗取りキャップであって、タオル生地で形成され、周縁部は生地が重ねられて厚く形成され、この周縁部に、ヘルメットから露出する後頭部と側頭部を覆うための垂れ布が一方の耳に対応する位置から他方の耳に対応する位置にわたって縫い付けられていることを特徴とするヘルメット用汗取りキャップ。
【請求項２】
請求項１記載のヘルメット用汗取りキャップであって、垂れ布が襟首を覆う長さに形成されていることを特徴とするヘルメット用汗取りキャップ。
【請求項３】
請求項１又は２記載のヘルメット用汗取りキャップであって、垂れ布が紫外線遮断質に形成されていることを特徴とするヘルメット用汗取りキャップ。
【考案の詳細な説明】
【技術分野】
【０００１】
本考案は、ヘルメット用汗取りキャップに関し、更に詳しくは例えば工事現場の作業時や二輪自動車に乗車する際、頭部の汗を吸収するため、ヘルメット内の頭部に被って使用できるよう形成したヘルメット用汗取りキャップに関するものである。
【背景技術】
【０００２】
従来この種のキャップとしては、例えば頭部の周りにあてがわれるバンド部と、これに続く折返し部とで形成され、この折返し部がヘルメットの内側から外側に折返されるよう形成されているものがある（例えば特許文献１参照）。
【０００３】
従来、例えば工事現場や工場内の作業に従事する人や、また二輪自動車のドライバーなどは、頭部を保護する必要からヘルメットを被るのが通例である。
而してヘルメットは、頭部を保護するために頑丈に作られてはいるが、その分、吸湿性や通気性に欠けるものである。従って従来、例えば夏の暑い時期や高温雰囲気下の工場等においてヘルメットを着用すると、頭部から発汗した汗が、作業員やドライバーの顔や首筋を伝わり落ち、この汗が目に入ったり、或いはメガネのレンズに付着する場合が少なくない。このため従来、ヘルメットを被って仕事をする人は、仕事を中断してこの種の汗をタオル等で拭き取ったり、ヘルメットをいったん外してメガネのレンズに付着した汗を拭き取らなければならない、という煩わしさがあった。
またこの種の汗は、視界を不良にさせるため、例えばオートバイのドライバーにとっては、交通事故を引き起こす一因にもなるものであった。
また工事現場用等のヘルメットは、通常、頭部の全体を覆うものではないため、ヘルメットから露出する頭部の部分や襟首が、外部から加わる衝撃等から保護されず、また直射日光や雨風に晒されるのを避けられない。
【特許文献１】実用新案登録第３０２２９９４号公報
【考案の開示】
【考案が解決しようとする課題】
【０００４】
本考案は、このような従来の実情に鑑みてなされたものである。
従って本考案の技術的課題は、頭部に被って、その上にヘルメットを被り、ヘルメットの着用時に頭部から発汗した汗を吸収し、汗が顔などを伝わり落ちることを防止でき、しかもヘルメットから露出する頭部や襟首の部分も衝撃、直射日光等から保護できるよう形成したヘルメット用汗取りキャップを提供することにある。
【課題を解決するための手段】
【０００５】
本考案は、上記の課題を解決するために、次のような技術的手段を採る。
即ち本考案は、ヘルメット１の着用時にヘルメット１内の頭部に被るヘルメット用汗取りキャップであって、タオル生地で形成され、周縁部３は生地が重ねられて厚く形成され、この周縁部３に、ヘルメット１から露出する後頭部と側頭部を覆うための垂れ布５が一方の耳６に対応する位置から他方の耳６に対応する位置にわたって縫い付けられていることを特徴とする（請求項１）。
【０００６】
本考案の場合は、吸湿性に優れているタオル生地からなるキャップ２が、頭部から発汗した汗を素早く吸収する。従ってこれによれば、汗が顔や首筋に流れる不快感を一掃でき、工事現場等での作業やドライバーの運転時の安全性に役立つ。また本考案のキャップ２は、手軽に洗濯ができるため、常に清潔且つ衛生的に使用することができる。
また本考案品は、ヘルメット１の内側に被るため、ヘルメット１を被ったとき、頭部とのなじみを良くさせることができる。従ってこれによれば、ヘルメット１を滑りにくくさせ、ヘルメット１の安定感の保持に役立つ、という利点がある。
また本考案の場合、キャップ２の周縁部３は、生地が重ねられて厚く形成されているから、これによると顔などに流れ出ようとする汗を、この箇所で確実にくい止めることができる。
本考案の場合、垂れ布５の材質、形状、高さ等のサイズ、及び色等は、任意である。但しこの垂れ布５は、吸湿性や通気性が良くなるよう、通常はタオル生地で形成されるのが好ましい。
【０００７】
而してこの本考案の場合、垂れ布５は、図４等に示されるように、襟首を覆う長さに形成されているのでも良い（請求項２）。
この場合は、襟首が日焼けしたり、雨風に晒されるのを防止できるからである。
【０００８】
また請求項１又は２に係る本考案の場合は、垂れ布５が紫外線遮断質に形成されているのが好ましい（請求項３）。
なぜならこれによると、頭部や襟首を一層確実に直射日光から保護できるからである。
【考案の効果】
【０００９】
本考案は、上記のように形成されているから、頭部に被って、その上にヘルメットを被ると、ヘルメットの着用時に頭部から発汗した汗を吸収でき、汗が顔などを伝わり落ちることを防止できる。また垂れ布により、ヘルメットから露出する後頭部や側頭部を、外部から加わる衝撃、直射日光、雨風等から保護できる。
【考案を実施するための最良の形態】
【００１０】
以下、本考案の好適な一実施形態を、図１等に従って説明する。
本考案は、ヘルメット１の着用時にヘルメット１内の頭部に被るヘルメット用汗取りキャップである。本考案のキャップ２は、図示されるように、吸湿性に優れているタオル生地で形成され、周縁部３は生地が重ねられて厚く形成されている。タオル生地は、この実施形態では輪奈の出た布面が頭皮に当たるよう、内側に配置されている。
【００１１】
本考案のキャップ２は、この実施形態では開いた時に半球状になるよう、周縁部３に、周方向にわたって等間隔に計６箇所、タック４が形成されている。このタック４は、一枚の円形のタオル生地の周縁をつまんでキャップ２の天頂部に向かって頂点が延びる三角形状の生地寄せ集め部を作り、これを同じ周方向に折り畳み、次に周縁を山折り側（内側）に折り返して底辺部を縫い合わせることにより形成されている。
【００１２】
５は、ヘルメット１から露出する後頭部と側頭部を覆うための垂れ布である。この垂れ布５は、一方の耳６に対応する位置から他方の耳６に対応する位置にわたって、周縁部３に縫い付けられている。またこの垂れ布５は、タオル生地で形成され、輪奈の出た布面が内側に配置されている。垂れ布５の高さは、この実施形態では約６５（ｍｍ）に選定され、後頭部と側頭部を保護できる状態に形成されている。
【００１３】
次に本考案のキャップ２の使用例を説明する。
使用者は、ヘルメット１を被る前に、本考案のキャップ２を予め頭部に被り、その上にヘルメット１を被って使用する。本考案のキャップ２は、タオル生地で形成されているため、頭部から発汗した汗を素早く吸収し、汗が顔や首筋に流れることを防止する。特に汗は、周縁部３によって捕集され、下方に流れ出ないようこの周縁部３でくい止められる。従ってこれによれば、工事現場等での作業やドライバーの運転時の安全性に役立ち、またヘルメット１を被ったとき、頭部とのなじみが良くなり、ヘルメット１を滑りにくくさせ、ヘルメット１の安定感の保持にも役立つものである。
またヘルメット１から露出している後頭部及び側頭部は、垂れ布５でカバーされる。従って本考案の場合は、この垂れ布５によって後頭部等に加わる衝撃を防止でき、また直射日光や雨風に晒されることを防止できる。
【００１４】
以上の処において、本考案は、図４〜図６に示されるように、上記の垂れ布５が襟首を覆う長さに形成されているのでも良い。
この実施形態に係る本考案のキャップ２は、垂れ布５がタオル生地で形成され、上例と同様、この垂れ布５は輪奈が出た布面を内側にして周縁部３から垂らされている。
【００１５】
また本考案は、上記の垂れ布５が、例えば紫外線遮断樹脂で表面がコーティングされたり、或は紫外線遮断樹脂シートで形成されることにより、紫外線遮断質に形成されているのでも良い。
【図面の簡単な説明】
【００１６】
【図１】本考案のキャップの好適な一実施形態を示す使用状態時の側面図である。
【図２】ヘルメットを被ったときの使用状態時の側面図である。
【図３】本考案のキャップの正面図である。
【図４】本考案のキャップの他の実施形態を示す使用状態時の側面図である。
【図５】図４の実施形態に係る本考案のヘルメットを被ったときの使用状態時の側面図である。
【図６】図４の実施形態に係る本考案の正面図である。
【符号の説明】
【００１７】
１    ヘルメット
２    キャップ
３    周縁部
４    タック
５    垂れ布
６    耳
【図１】
0003105555.tif 000003
【図２】
0003105555.tif 000004
【図３】
0003105555.tif 000005
【図４】
0003105555.tif 000006
【図５】
0003105555.tif 000007
【図６】
0003105555.tif 000008